(57)【要約】【課題】  本体とパレットとの固定作業の際、作業を上方から行えて作業負担を軽くできるとともに安全性を確保し、また、固定用ナットあるいは固定用部材のベースへのスポット溶接作業を不要としてベースの組立コストを低減することができる一体型空気調和機を提供することを目的とする。【解決手段】  外胴２は、天板２ａと左右の側面板２ｂと前部連結板２ｄ及び後部連結板２ｅとからなり、左右側面板２ｂの下端部は内方に向かい折曲されて左右の下端フランジ２ｃが形成されている。下端フランジ２ｃには、上方に向かい山形状に膨出するとともに、前後方向に延びるベース支持部２ｇが左右一対となって形成され、円形状の螺子挿通孔２ｈが夫々穿設されている。螺子孔２ｈに、螺子部材４０を上方から挿通させ、パレット３０の上部材３０ｂの螺子止部位３０ｃに夫々、螺着させることにより外胴２はパレット３０に固定されるようになっている。【選択図】図３
2013068336.tif 000002
【特許請求の範囲】
【請求項１】
圧縮機、室内熱交換器、室外熱交換器、シロッコファン、プロペラファンを搭載したベースと、同ベースを出し入れ自在に保持する外胴と、吸込口及び吹出口を備え前記外胴の前面側に装着される前面パネルとから本体を構成してなる一体型空気調和機において、
前記外胴が、天板と、左右の側面板と、同左右の側面板の下端部から内方に向かい折曲されるとともに、螺子を挿通させる複数の挿通孔を備えた下端フランジとからなることを特徴とする一体型空気調和機。
【請求項２】
前記下端フランジに、上方に向かい山形状に膨出し前記側面板に沿って延びるベース支持部が形成される一方、前記挿通孔が同ベース支持部と前記左右の側面板との間に形成されてなることを特徴とする請求項１に記載の一体型空気調和機。
【発明の詳細な説明】
【技術分野】
【０００１】
本発明は、一体型空気調和機に関わり、より詳細には、梱包して搬送する際の本体をパレット（木枠）に固定するための構造に関するものである。
【背景技術】
【０００２】
一体型空気調和機は、ベース上を仕切板により室内側と室外側とに区画し、室内側には室内側熱交換器とシロッコファンとが配設され、室外側には室外側熱交換器とプロペラファンと、同プロペラファンと前記シロッコファンとを駆動するモータと、圧縮機とが配設されている。
【０００３】
また、上記した各機器が配設されたベースは、外胴内に引き出し可能に収納され、外胴の前面には前面パネルが取り付けられて外郭筐体を構成している。
【０００４】
前面パネルには左右に吹出口と吸込口とが形成され、吹出口には風向を調整する風向板を備え、吸込口には複数の桟を形成した吸込グリルが開閉および着脱自在に取り付けられている。吸込グリルの背面の前面パネルには吸い込まれた空気に含有される塵埃を捕集するフィルタが装着されている。
【０００５】
工場で組立が完了した一体型空気調和機を出荷する際は、一体型空気調和機の本体をパレット（木枠）上に載置するとともに、本体とパレットとを螺子止めにより固定する。これにより、搬送の途中で、衝撃、振動が加わったとしても本体とパレットとのズレを防ぎ、安全性を確保するようになっている。
【０００６】
また、パレットに固定された本体の搬送が完了し、所定の設置箇所に一体型空気調和機を設置する際は、パレットからベースを外すとともに、外胴から前面パネルと、各機器が配設されたベースを外し、まず外胴を所定の設置位置に固定した後、固定された外胴に、各機器を搭載したベースを収納し、続いて前面に前面パネルを装着するようになっている。
【０００７】
出荷の際、ベースとパレットとを固定する従来の固定構造として、例えば、ベースに複数の螺子挿通孔を穿設する一方、螺子挿通孔の上部に固定用ナットをスポット溶接により接合し、固定用ボルトをパレットの下方から挿入し螺子挿通孔を挿通させるとともに、ベース上の固定用ナットに螺合させて本体とパレットとを固定させていた。
【０００８】
しかるに、上記した構造では、一体型空気調和機の設置後、スポット溶接により複数箇所、接合した固定用ナットの接合の隙間部位から凝縮水の漏れ等が発生する虞がある為、例えば、図５（Ａ）で示す一体型空気調和機５０は、図５（Ｂ）の斜視図及び図５（Ｃ）の正面図で示すように、ベース５１に、上方に膨出するように複数の凹部５１ａを形成し、同凹部５１ａの外面に螺子孔５２ａを備えた固定用部材５２をスポット溶接により接合している（特許文献１参照）。
【０００９】
パレット６０には螺子挿通孔６０ａが穿設されており、複数の固定用ボルト７０をパレット６０の下方から螺子挿通孔６０ａに挿通させるとともに、固定用部材５２の螺子孔５２ａに螺合させることにより一体型空気調和機５０の本体とパレット６０とを固定し、また、凹部５１ａによりベース５１に孔を設ける必要がないので、設置後にスポット溶接された固定用部材５２の部位からの水漏れも防止できるようになっている。
【００１０】
しかしながら、ボルトをパレットの下面から挿入する固定方式では、作業負担が重く作業効率が低下する一方、固定用ナットあるいは固定用部材をスポット溶接によりベースに接合する作業が必要となり、ベースの組立コストが上昇していた。
【先行技術文献】
【特許文献】
【００１１】
【特許文献１】公開実用新案公報  昭和５９−１４５６２９号（２頁、図２）
【発明の概要】
【発明が解決しようとする課題】
【００１２】
本発明は、上記問題点に鑑み、本体とパレットとの固定作業の際、作業を上方から行えて作業負担を軽くできるとともに、固定用ナットあるいは固定用部材のベースへのスポット溶接作業を不要としてベースの組立コストを低減することができる一体型空気調和機を提供することを目的とする。
【課題を解決するための手段】
【００１３】
本発明は、上記課題を解決するため、圧縮機、室内熱交換器、室外熱交換器、シロッコファン、プロペラファンを搭載したベースと、同ベースを出し入れ自在に保持する外胴と、吸込口及び吹出口を備え前記外胴の前面側に装着される前面パネルとから本体を構成してなる一体型空気調和機において、前記外胴が、天板と、左右の側面板と、同左右の側面板の下端部から内方に向かい折曲されるとともに、螺子を挿通させる複数の挿通孔を備えた下端フランジとからなる構成となっている。
【００１４】
また、前記下端フランジに、上方に向かい山形状に膨出し前記側面板に沿って延びるベース支持部が形成される一方、前記挿通孔が同ベース支持部と前記左右の側面板との間に形成されてなる構成となっている。
【発明の効果】
【００１５】
請求項１の発明によれば、外胴の下端フランジに螺子が挿通する挿通孔を設けることにより、同挿通孔に上方から螺子部材を挿通させ、外胴をパレットのような搬送部材に固定することができるようになっている。
【００１６】
請求項２の発明によれば、各機器を搭載したベースを外胴に収納する収納作業の際、ベースが外胴に形成されたベース支持部上に載置されるとともに、同ベース支持部上をスライドすることにより収納自在となっている。また、螺子の挿通孔がベース支持部と左右の側面板との間に形成されていることにより、ベースを外胴に収納する際、挿通孔に挿通された螺子が障害とならないようになっている。
【図面の簡単な説明】
【００１７】
【図１】本発明による一体型空気調和機を示す外観斜視図である。
【図２】本発明による一体型空気調和機の内部構成を示す斜視図である。
【図３】外胴とパレットとの固定構造を示す説明図である。
【図４】外胴とベース及びパレットとの固定構造を示す説明図である。
【図５】従来の一体型空気調和機におけるパレットとの固定構造を示す説明図である。
【発明を実施するための形態】
【００１８】
以下、本発明の実施の形態を、添付図面に基づいた実施例として詳細に説明する。
【実施例１】
【００１９】
本発明による一体型空気調和機は、図１の外観斜視図で示すように、底面を構成する板金材からなるベース１と、同ベース１を収納自在に保持する断面コ字状に形成された板金材からなる外胴２と、同外胴２の前面に装着された樹脂材からなる前面パネル３とで構成されている。
【００２０】
前面パネル３の一側には図示しない吸込口が形成され、同吸込口の前面には、多数の桟を上下方向に形成した樹脂材からなる吸込グリル３ａが着脱自在に装着されている。また、吸込口と吸込グリル３ａとの間には、吸込まれた空気に含有される塵埃を捕集する図示しないフィルタが着脱自在に装着されている。前面パネル３の他側には、複数の左右風向板５と複数の上下風向板６を可動自在に備えた吹出口４が設けられ、同吹出口４の下方には、始動停止ボタン、温度調整ノブ等を備えた操作部７が設けられている。
【００２１】
吸込グリル３ａから吸込まれた室内の空気は、フィルタにより含有する塵埃を除去され、室内熱交換器を通過して冷媒と熱交換された後、複数の左右風向板５及び複数の上下風向板６により吹出方向を偏向されながら、後述する室内ファンとしてのシロッコファン１１により吹出口４から再び室内に送出されるようになっている。
【００２２】
次に、内部構成について説明する。図２の斜視図で示すように、底面を構成するベース１は、仕切板１ａにより前方の室内側１ｂと、後方の室外側１ｃとに区画されている。室内側１ｂには、室内ファンとしてのシロッコファン１１と、同シロッコファン１１を収納し、吸込まれた空気を上記した吹出口４に導くケーシング１２が設けられるとともに、シロッコファン１１の前面には図示しない室内熱交換器が設けられている。
【００２３】
室外側１ｃには、圧縮機８及びアキュームレータ９が配設されるとともに、Ｕ字状に形成された室外熱交換器１０と、室外ファンとしてのプロペラファン１３が設けられている。また、仕切板１ａの近傍には図示しない両軸のファンモータが設けられ、同ファンモータの回転軸はシロッコファン１１とプロペラファン１３とに連結されるようになっている。外胴２の両側面に形成された吸込口２ｋから吸込まれた室外の空気は、プロペラファン１３により室外熱交換器１０に送出され、同室外熱交換器１０を通過して冷媒と熱交換された後、背面側に吹出されるようになっている。
【００２４】
次に、外胴２の構成と、外胴２とパレット（木枠）３０との固定構造について説明する。外胴２は図３の斜視図で示すように、天板２ａと、同天板２ａの両端から下方に向け折曲された左右の側面板２ｂと、同左右側面板２ｂの下端部から内方に向かい折曲された左右の下端フランジ２ｃとからなるとともに、左右の下端フランジ２ｃの前縁には前部連結板２ｄがスポット溶接により接合され、後縁には後部連結板２ｅがスポット溶接により接合されている。これにより、下端フランジ２ｃと前部連結板２ｄ及び後部連結板２ｅとに囲まれて開口部２ｆが形成されている。
【００２５】
左右の下端フランジ２ｃには、上方に向かい山形状に膨出するとともに、側面板２ｂに沿って前後方向に延びるベース支持部２ｇが左右一対となって形成されている。上記したように圧縮機８、室外熱交換器１０等の各機器を搭載したベース１を、ベース支持部２ｇ上に載置するとともに、同ベース支持部２ｇ上を前後方向にスライドさせることによりベース１は外胴２に出し入れ自在となっており、収納作業の負担が軽く効率的に行えるようになっている。また、左右の下端フランジ２ｃには、前縁部及び後縁部に円形状の螺子挿通孔２ｈが夫々穿設されている。
【００２６】
パレット３０は、図３で示すように、長尺状の角材を格子状に組み合わせて形成されており、複数の下部材３０ａと、同下部材３０ａと直交するように上部に接合された複数の上部材３０ｂとからなっている。
【００２７】
外胴２の下端フランジ２ｃに形成された螺子挿通孔２ｈに、木工用の螺子部材４０を上方から挿通させ、上部材３０ｂの螺子止部位３０ｃから螺合させて上部材３０ｂを貫通させるとともに、下部材３０ａに螺合させることにより、外胴２はパレット３０に堅固に固定されるようになっている。
【００２８】
螺子部材４０がワッシャー４１を介して外胴２をパレット３０に固定した断面図を図４に示す。螺子部材４０が上部材３０ｂに螺合しながら貫通して下部材３０ａに螺合し、外胴２が、パレット３０に堅固に固定された後、圧縮機８、室外熱交換器１０等の各機器を搭載したベース１は、外胴２のベース支持部２ｇ上をスライドして外胴２内に収納されるようになっている。ベース１には下方に山形状に膨出するガイド部１ｆが、外胴２のベース支持部２ｇに沿って前後方向に形成されており、収納作業の際、ベース支持部２ｇにガイドされながらベース１はベース支持部２ｇ上をスライドすることにより外胴２に円滑に収納することができるようになっている。また、螺子挿通孔２ｈが、外胴２のベース支持部２ｇと左右の側面板２ｂとの間に形成されていることにより、ベース１は螺子挿通孔２ｈに螺合された螺子部材４０の螺子頭に干渉することなくベース支持部２上をスライドし、外胴２に収納することができるようになっている。
【００２９】
ベース１には、螺子孔１ｅを所定箇所に穿設したフランジ１ｄが周縁に立設されており、外胴２の左右の側面板２ｂ及び図示しない後縁フランジには、螺子孔１ｅに対応して複数の螺子挿通孔２ｊが穿設されている。ベース１が外胴２の所定位置に収納されたら、固定用ボルト４２を外胴２の螺子挿通孔２ｊに挿通させるとともに、ベース１のフランジ１ｄに形成された螺子孔１ｅに夫々、螺合させることにより、ベース１は外胴２に固定されるようになっている。また、前面パネル３が装着された後、パレット３０に固定された本体の搬送作業が行われるようになっている。
【００３０】
搬送作業の後の一体型空気調和機の設置作業においては、外胴２から前面パネル３を外すとともに、ベース１を外胴２から引き抜く。続いて、外胴２とパレット３０を固定している螺子部材４０を上方から引き抜くことにより、外胴２がパレット３０から取り外される。この後、従来と同様に、外胴２を設置箇所に固定するとともに、同外胴２にベース１を収納し、前面パネル３を装着することにより本体の設置作業が完了するようになっている。
【００３１】
以上、説明したように、外胴２の下端フランジ２ｃに形成された螺子孔２ｈに、螺子部材４０を上方から挿通させ、パレット３０に夫々、螺着させることにより外胴２はパレット３０に固定されるようになっており、従来例で説明したように、固定用ボルトをパレットの下方から挿入しベースに接合された固定用ナットに螺合させて本体とパレットとを固定させる方式では、本体及びパレットの下方から作業を行うこととなり作業負担が重くなっていたが、上方から作業を行なうことにより作業効率が向上する一方、ベースに固定用ナットをスポット溶接等により取付ける作業が不要となり、ベースを含む本体の組立コストを低減させることができるようになっている。
【符号の説明】
【００３２】
１  ベース
１ａ  仕切板
１ｂ  室内側
１ｃ  室外側
１ｄ  フランジ
１ｅ  螺子孔
１ｆ  ガイド部
２  外胴
２ａ  天板
２ｂ  側面板
２ｃ  下端フランジ
２ｄ  前部連結板
２ｅ  後部連結板
２ｆ  開口部
２ｇ  ベース支持部
２ｈ  螺子挿通孔
２ｊ  螺子挿通孔
２ｋ  吸込口
３  前面パネル
３ａ  吸込グリル
４  吹出口
５  左右風向板
６  上下風向板
７  操作部
８  圧縮機
９  アキュームレータ
１０  室外熱交換器
１１  シロッコファン
１２  ケーシング
１３  プロペラファン
３０  パレット
３０ａ  下部材
３０ｂ  上部材
３０ｃ  螺子止部位
４０  螺子部材
４１  ワッシャー
４２  固定用ボルト
【図１】
2013068336.tif 000003
【図２】
2013068336.tif 000004
【図３】
2013068336.tif 000005
【図４】
2013068336.tif 000006
【図５】
2013068336.tif 000007